(57)【要約】【課題】リモコン装置からの入力に備えて待機する待機時の消費電力を削減したリモコンシステムを提供する。【解決手段】リモコンシステムのリモコン装置によって操作されるリモコン操作機器がテレビジョン装置である場合、テレビジョン装置が待機状態にある時、周囲の明るさを光検出回路８によって検知し、テレビの周囲の明るさが所定の閾値より明るい時、リモコン装置からの信号を受信するリモコン信号受信回路５に電力供給を行い、閾値より暗い時にはリモコン信号受信回路５への電力供給を電源ＳＷによって遮断する。リモコン装置にはテレビの周囲が暗いときに光検出回路の光センサに向けて光を照射するための発光部を設けている。【選択図】図１
2011124763.tif 000002
【特許請求の範囲】
【請求項１】
リモコン装置と、該リモコン装置からの信号に応じた動作を行うリモコン操作機器とを有するリモコンシステムにおいて、
前記リモコン操作機器は、前記リモコン装置からの信号を受信するリモコン信号受信回路と、周囲の明るさを検知する光検出回路と、待機時に該光検出回路からの出力値が所定の明るさでの出力値よりも暗いときの出力値である場合に、前記リモコン信号受信回路への電力供給を遮断するスイッチ回路を有するとともに、
前記リモコン装置が、操作に応じて光を発光する発光部を有することを特徴とするリモコンシステム。
【請求項２】
前記リモコン装置の発光部の操作部が、前記リモコン装置に設けたボタンであることを特徴とする請求項１に記載のリモコンシステム。
【請求項３】
前記リモコン装置の発光部の操作部が、前記リモコン装置に設けたスイッチであることを特徴とする請求項１に記載のリモコンシステム。
【請求項４】
前記リモコン装置の発光部の操作部が、前記リモコン装置に設けたタッチパネルであることを特徴とする請求項１に記載のリモコンシステム。
【請求項５】
前記リモコン装置の発光部の操作部が、前記リモコン装置に設けた前記リモコン操作機器用の電源ボタンと兼用されていることを特徴とする請求項１から４のいずれか１に記載のリモコンシステム。
【請求項６】
前記リモコン装置とリモコン操作機器とが双方向通信可能であることを特徴とする請求項１から５のいずれか１に記載のリモコンシステム。
【請求項７】
前記リモコン装置とリモコン操作機器とが双方向通信可能であり、前記リモコン装置の電源ボタンを操作した後、前記リモコン操作機器からの信号に応じて前記発光部からの発光を停止することを特徴とする請求項５に記載のリモコンシステム操作機器。
【請求項８】
前記リモコン装置とリモコン操作機器とが双方向通信可能であり、前記リモコン装置の電源ボタンを操作した後、前記リモコン操作機器からの信号に応じて、前記リモコン装置から電源オンコマンドを送信することを特徴とする請求項５に記載のリモコンシステム。
【請求項９】
前記リモコン操作機器がテレビジョン装置であることを特徴とする請求項１から８のいずれか１に記載のリモコンシステム。
【発明の詳細な説明】
【技術分野】
【０００１】
本発明は、リモコンシステムに関し、より詳細には、待機時の消費電力を削減するとともに操作の利便性を改善したリモコンシステムに関する。
【背景技術】
【０００２】
近年、環境に配慮した省エネルギーの電子機器や電化製品が普及してきている。また、ユーザ操作の利便性を考慮して、種々の電子機器や電化製品にリモコン装置が付属するようになっている。
このようなリモコン装置によって操作されるリモコン操作機器にあっては、動作時と非動作時における消費電力の削減が求められている。
例えば、リモコン操作機器の一例としてテレビジョン装置の消費電力性能の向上を図る上では、テレビ視聴時における動作時の消費電力の削減とテレビ未視聴時における待機時の消費電力の削減という２つの課題がある。
【０００３】
前者については、人感センサを使ってテレビの前に人がいないかどうかを検知し、テレビの前から人が離れると消画状態にし、人が戻ってくると自動的に画面をオン状態に戻したり、明るさセンサを使って、周囲の明るさに応じて画面の明るさを調整したりすることで、動作時の消費電力を削減したものがある。
【０００４】
また、ＤＶＤレコーダなどの電子機器のメイン電源の切り忘れを防止するために、特許文献１には、当該電子機器を設置した部屋の明るさを光センサで検出し、部屋の照明が点灯状態から消灯状態になったことを検出した時に、メイン電源のスイッチ回路をオフし、待機電源からの電力により特定の構成要素のみの待機動作を可能としたものが開示されている。
【先行技術文献】
【特許文献】
【０００５】
【特許文献１】特開２００７−９５１２７号公報
【発明の概要】
【発明が解決しようとする課題】
【０００６】
しかしながら、従来のリモコン装置によって操作されるリモコン操作機器では、動作中及び待機時において、リモコン操作機器のリモコン信号受信回路へは常に電源が供給されており、リモコン信号受信回路はリモコン装置からの制御コードを常に受信できる状態に置かれていた。このため、本発明者は、リモコン装置からの入力に備えて待機する待機時の消費電力をさらに削減したリモコン操作機器を先に提案した（特願２００９ー２２３０９３号参照）。
【０００７】
このリモコン操作機器は、リモコン装置によって操作されるリモコン操作機器が待機モードにある時、リモコン操作機器の周囲の明るさを光検出回路によって検知し、リモコン操作機器の周囲の明るさが所定の閾値より明るい時、リモコン装置からの信号を受信するリモコン信号受信回路に電力供給を行い、周囲の明るさが閾値より暗い時にはリモコン信号受信回路への電力供給を遮断するものである。
【０００８】
これにより、リモコン操作機器が待機時にあって、周囲の明るさが所定の閾値より暗い場合には、リモコン信号受信回路の消費電力を削減することができるが、待機時に周囲が暗い場合は、リモコン操作が受け付けられない状態が生じていた。このため、ユーザはリモコン操作を行う前に、リモコン操作機器が設置されている部屋の照明を点灯させる必要があった。
【０００９】
本発明は、このような実情に鑑みてなされたものであり、リモコン装置からの入力に備えて待機する待機モード時の消費電力をさらに削減するとともに、操作の利便性を改善したリモコンシステムを提供することを目的とする。
【課題を解決するための手段】
【００１０】
上記課題を解決するために、本発明の第１の技術手段は、リモコン装置と、該リモコン装置からの信号に応じた動作を行うリモコン操作機器とを有するリモコンシステムにおいて、前記リモコン操作機器は、前記リモコン装置からの信号を受信するリモコン信号受信回路と、周囲の明るさを検知する光検出回路と、待機時に該光検出回路からの出力値が所定の明るさでの出力値よりも暗いときの出力値である場合に、前記リモコン信号受信回路への電力供給を遮断するスイッチ回路を有するとともに、前記リモコン装置が、操作に応じて光を発光する発光部を有することを特徴としたものである。
【００１１】
第２の技術手段は、第１の技術手段において、前記リモコン装置の発光部の操作部が、前記リモコン装置に設けたボタンであることを特徴としたものである。
【００１２】
第３の技術手段は、第１の技術手段において、前記リモコン装置の発光部の操作部が、前記リモコン装置に設けたスイッチであることを特徴としたものである。
【００１３】
第４の技術手段は、第１の技術手段において、前記リモコン装置の発光部の操作部が、前記リモコン装置に設けたタッチパネルであることを特徴としたものである。
【００１４】
第５の技術手段は、第１から４のいずれか１の技術手段において、前記リモコン装置の発光部の操作部が、前記リモコン装置に設けた前記リモコン操作機器用の電源ボタンと兼用されていることを特徴としたものである。
【００１５】
第６の技術手段は、第１から５のいずれか１の技術手段において、前記リモコン装置とリモコン操作機器とが双方向通信可能であることを特徴としたものである。
【００１６】
第７の技術手段は、第５の技術手段において、前記リモコン装置とリモコン操作機器とが双方向通信可能であり、前記リモコン装置の電源ボタンを操作した後、前記リモコン操作機器からの信号に応じて前記発光部からの発光を停止することを特徴としたものである。
【００１７】
第８の技術手段は、第５の技術手段において、前記リモコン装置とリモコン操作機器とが双方向通信可能であり、前記リモコン装置の電源ボタンを操作した後、前記リモコン操作機器からの信号に応じて、前記リモコン装置から電源オンコマンドを送信することを特徴としたものである。
【００１８】
第９の技術手段は、第１から８のいずれか１の技術手段において、前記リモコン操作機器がテレビジョン装置であることを特徴としたものである。
【発明の効果】
【００１９】
本発明によれば、リモコン操作機器が設置された部屋が暗い時にリモコン信号受信回路への電力供給を遮断して、リモコン信号受信回路を無効にすることでリモコン操作機器の消費電力を削減できる。また、暗い部屋の中でもリモコンの操作により光を発光させることによりリモコン信号受信回路の電源を有効にすることが可能となり、その後のリモコン操作でリモコン操作機器の操作を可能とすることができる。
【図面の簡単な説明】
【００２０】
【図１】本発明の一実施形態に係るリモコン操作機器をテレビジョン装置に適用した場合のブロック図である。
【図２】本発明の他の実施形態に係るリモコン操作機器をテレビジョン装置に適用した場合のブロック図である。
【図３】本発明の一実施形態に係るリモコンシステムのリモコン操作機器をテレビジョン装置に適用し、光検出信号の判定を１つの閾値で行う場合のフローチャートである。
【図４】本発明の一実施形態に係るリモコンシステムにおけるリモコン操作機器をテレビジョン装置に適用した場合の動作を示すタイミングチャートである。
【図５】本発明の一実施形態に係るリモコンシステムにおけるリモコン装置のブロック図である。
【図６】本発明の他の実施形態に係るリモコンシステムにおけるリモコン装置のブロック図である。
【図７】本発明のさらに他の実施形態に係るリモコンシステムにおけるリモコン装置のブロック図である。
【図８】本発明のさらに他の実施形態に係るリモコンシステムにおけるリモコン装置のブロック図である。
【図９】図８に示すリモコン装置を用いた際のリモコンシステムの動作を示すタイミングチャートである。
【図１０】本発明のさらに他の実施形態に係るリモコンシステムにおけるリモコン装置のブロック図である。
【図１１】図１０に示すリモコン装置を用い、双方向通信機能を利用する際のリモコンシステムの動作を示すタイミングチャートである。
【発明を実施するための形態】
【００２１】
本発明のリモコンシステムは、リモコン操作が可能な機器であれば、種々の電子機器や家庭用電化製品に好適に適用できる。以下の具体的な実施形態では、リモコン操作機器をテレビジョン装置に適用した場合を例として説明する。
【００２２】
図１は、本発明の一実施形態に係るリモコンシステムにおけるリモコン操作機器をテレビジョン装置に適用した場合のブロック図である。
テレビジョン装置は、電源回路１、テレビ制御マイコン２、映像音声受信出力部３、主電源ＳＷ（スイッチ）４、リモコン信号受信回路５、パワーＬＥＤ６、ＬＥＤ制御回路７、光検出回路８、及び、リモコン信号受信回路５への電力供給を遮断するための電源ＳＷ（スイッチ）９を備えている。  
【００２３】
ここで、映像音声受信出力部３は、テレビジョン装置の映像音声出力のための主たる機能を実現するための構成部であり、たとえば、液晶テレビジョン装置の場合は、デジタル放送信号を受信し、復調、デコードを行って、映像信号に対して映像信号処理を行った後、液晶パネル（ＬＣＤ）に表示させるとともに、音声信号に対して音声信号処理を行ってスピーカから出力させる部分であって、テレビジョン装置の通常動作モード時における消費電力は映像音声受信出力部３によって大部分を占められている。また、テレビ制御マイコン２は、映像音声受信出力部１を含むテレビジョン装置全体の動作制御を行うものである。
【００２４】
テレビジョン装置は、テレビジョン放送の受信や映像音声の出力に係る全ての機能が動作する通常動作モード（通常動作状態）と、商用電源に接続されただけの状態である待機モード（待機状態）を備えている。
【００２５】
待機モードでは、電源回路１から、テレビ制御マイコン２とその周辺の入出力回路であるリモコン信号受信回路５、パワーＬＥＤ６、ＬＥＤ制御回路７のみへ電源が供給される。待機モードでは、パワーＬＥＤ６は、例えば赤色に点灯している。
そして、少なくとも、待機モードでリモコン装置の電源ボタンが操作されることによって電源投入の要求が行われると、所定の処理手順で通常動作モードに移行する。
【００２６】
図１に示すテレビジョン装置では、電源回路１はスタンバイ電源１ａとシステム電源１ｂとを備えており、待機モードでは、スタンバイ電源１ａから電力が供給され、また、通常動作モードでは、このスタンバイ電源１ａに加えてシステム電源１ｂから映像音声受信出力部３へ電力が供給される。また、主電源ＳＷ４をオフした場合は、スタンバイ電源１ａ、システム電源１ｂからの電力供給は行われないため、パワーＬＥＤ６も消灯され、テレビジョン装置の消費電力はほぼゼロにすることができる。
【００２７】
また、光検出回路８はテレビジョン装置が設置された周囲の明るさを検出するためのもので、フォトダイオードやフォトトランジスタなどの光センサを備えている。この光検出回路８からの出力は光検出信号としてテレビ制御マイコン２に入力される。また、電源ＳＷ９はテレビ制御マイコン２からの制御信号であるリモコン−オン信号によって、リモコン信号受信回路５への電力供給をオン・オフしている。
【００２８】
テレビジョン装置がテレビジョン放送の受信や出力に係る全ての機能が動作する通常動作モードでは、電源回路１から、テレビ制御マイコン２、映像音声受信出力部３、リモコン信号受信回路５、パワーＬＥＤ６、ＬＥＤ制御回路７へ電源が供給される。この通常動作モードでは、テレビジョン装置の前面に配置されテレビジョン装置の動作モードを表示するための表示素子であるパワーＬＥＤ６は、例えば緑色に点灯している。
【００２９】
また、通常動作モードでは、光検出回路８への電力供給を行ってもよいが、光検出回路８からの光検出信号はテレビジョン装置の動作に利用しないため、光検出回路８への電力供給はオフの状態にしておいた方が省エネの点から望ましい。なお、光検出回路８として太陽電池を用いて構成することも可能であり、この場合は、光検出回路８への電源供給が不要となるため、消費電力を削減することが可能となる。
【００３０】
この通常動作モードでは、赤外線受光素子５１を備えたリモコン信号受信回路５は常に動作しており、ユーザによって図示しないリモコン装置が操作されると、リモコン装置から送信される制御コードを受信し、テレビ制御マイコン２へリモコン信号として伝えている。そして、テレビ制御マイコン２は、リモコン信号受信回路５からのリモコン信号に応じて、視聴チャンネルの変更や音声の調整など種々のテレビジョン装置の制御を行うようになっている。
【００３１】
次に、リモコン装置の操作によってテレビジョン装置の電源がオフされた場合は、テレビジョン装置は通常動作モードから待機モードへ移行する。待機モードでは、テレビジョン装置の消費電力の大部分を占める映像音声受信出力部３への電力の供給がストップされる。また、待機モードでは、電源回路１のスタンバイ電源１ａから、少なくともテレビ制御マイコン２と光検出回路８への電力の供給は維持される。
【００３２】
そして、リモコン装置を備えたテレビジョン装置では、待機モード時において、部屋が暗いときにリモコン装置が操作されることはほとんどない。したがって、テレビジョン装置が待機モードにあるときに光検出回路８からの光検出信号に値に応じて、テレビ制御マイコン２は電源ＳＷ９へのリモコン−オン信号を制御することで電源ＳＷ９をオン・オフし、リモコン信号受光回路５の有効・無効を制御している。具体的には、光検出回路８からの出力値を所定の閾値と比較し、所定の明るさよりも明るいときの出力値である場合に、リモコン信号受信回路５へ電力供給を行い、また、所定の明るさよりも暗いときの出力値である場合に、リモコン信号受信回路５へ電力供給を遮断することにより、消費電力の削減を図っている。
【００３３】
なお、リモコン信号受信回路５への電力供給から遮断への閾値と電力遮断から供給への閾値のそれぞれの値を変えることにより、リモコン信号受信回路５への電力の供給・遮断にヒステリシス特性を持たせることも可能である。ヒステリシスを持たせることにより、光検出回路８からの出力値がそれぞれの閾値を挟んで変化しても、リモコン信号受信回路５への電力供給のためのスイッチングが行われることがなく、ノイズ等の変動に強い制御回路にすることができる。
【００３４】
テレビジョン装置の動作モードを示すパワーＬＥＤ６は、テレビジョン装置が待機モードでかつリモコン信号受信回路５に電力が供給されて有効の場合には、例えば赤色に点灯し、リモコン装置による操作が受け付け可能であることを示すようにしている。この場合、電源回路１のスタンバイ電源１ａからは、テレビ制御マイコン２、リモコン信号受信回路５、パワーＬＥＤ６、ＬＥＤ制御回路７、光検出回路８へ電力が供給される。
【００３５】
また、テレビジョン装置が待機モードでかつリモコン信号受信回路５に電力が供給されずに無効の場合は、パワーＬＥＤ６及びＬＥＤ制御回路７への電力供給もストップすることで、パワーＬＥＤ６を消灯し、更なる消費電力の低減を図ることが可能である。この場合、電源回路１のスタンバイ電源１ａからは、テレビ制御マイコン２、光検出回路８へのみ電力が供給される。
【００３６】
図２は、本発明の他の実施形態に係るリモコンシステムにおけるリモコン操作機器をテレビジョン装置に適用した場合のブロック図である。
図２に示すテレビジョン装置は、リモコン装置との間の信号の授受にＲＦ無線方式が用いられる。図１に示すテレビジョン装置では、リモコン装置とリモコン信号受信回路５との信号の授受は、赤外線（ＩＲ）方式が用いられるため、リモコン装置からの一方向通信となるが、ＲＦ無線方式の場合は双方向通信を行うことが可能となる。このため、リモコン信号送受信回路５’はＲＦアンテナ５２を備えている。リモコン装置との間で双方向通信を行う以外は、図１のテレビジョン装置と同様であるので、説明を省略する。
【００３７】
図３は、本発明の一実施形態に係るリモコンシステムのリモコン操作機器をテレビジョン装置に適用し、光検出信号の判定を１つの閾値で行う場合のフローチャートである。  
テレビジョン装置の起動時にリモコン信号受信回路５を有効にするため、テレビ制御マイコン２はリモコン−オン信号をアサートし、リモコン信号受信回路５に電源ＳＷ９を介してスタンバイ電源１ａを接続し、リモコン信号受信回路５を有効にする（ステップＳ１）。次に、ステップＳ１からステップＳ２に移り、テレビジョン装置の状態をチェックする。システム電源１ｂがオンで通常動作中（映像音声出力中）の場合はパワーＬＥＤ６を緑色にし（ステップＳ３）、リモコン信号受信回路５を有効にした状態を維持する。
【００３８】
ステップＳ２でテレビジョン装置が動作中でない場合、例えば、リモコン装置の操作によってテレビジョン装置の電源がオフされた状態であると、ステップＳ４に移行し、光検出回路８からの出力信号の出力値をチェックする。ステップＳ４で光検出回路３からの出力値が所定の明るさを示す閾値以上の場合は、パワーＬＥＤ６を、待機モードでリモコン装置からの操作を受け入れ可能であることを示す赤色にし（ステップＳ５）、ステップ１に移行する。なお、図３ではステップＳ３及びステップＳ５からステップＳ１へ移行するようにしているが、すでにリモコン信号受信回路５は有効であるため、ステップＳ２へ戻ってもよい。
【００３９】
ステップＳ５の状態は、リモコン装置からの操作を受け入れることが可能なため、リモコン装置から電源ボタンが操作されると、リモコン信号受信回路５はリモコン装置からの信号を受け付け、テレビ制御マイコン２にリモコン装置からの制御コードをリモコン信号として伝え、テレビ制御マイコン２は所定の処理手順でシステム電源１ｂから映像音声受信出力回路３へ電力を供給して通常動作モードに移行する。
【００４０】
ステップＳ４で光検出回路８からの出力値が所定の明るさを示す閾値より低い場合は、ステップ６に移行し、光検出回路８からの出力値が所定の明るさを示す閾値より低くなった時点から所定の時間が経過したかどうかを判断する。
そして、所定の時間が経過していない場合は、ステップＳ１に戻る。また、光検出回路８からの出力値が所定の明るさを示す閾値より低くなった時点から所定の時間が経過している場合は、ステップＳ７に移る。
【００４１】
ステップＳ７では、リモコン信号受信回路５を無効化にするためリモコン−オン信号をネゲートし、電源ＳＷ９をオフすることによりリモコン信号受信回路５への電力供給を遮断し、さらにステップＳ８に移ってパワーＬＥＤ６を消灯する。したがって、パワーＬＥＤ６はリモコン操作が有効な時のみ点灯する。
【００４２】
図３に示すフローチャートおいて、光検出回路８からの出力値が所定の明るさを示す閾値より低くなった時点から所定の時間が経過したかどうかを判断するステップ６を設けているのは、例えば、部屋が暗い状態で視聴中のテレビジョン装置をリモコン操作で電源オフした場合、すでに部屋が暗い状態であるためにリモコン信号受信回路５は無効の状態となり、再度、リモコン装置でテレビジョン装置を電源オンの状態（視聴状態）にすることができない。この状態を避けるために、部屋が暗い状態で視聴中のテレビジョン装置をリモコン装置で電源オフしても、所定の時間が経過するまではリモコン信号受信回路５の電源をオンしたままで維持するタイムアウト機能を設けているからである。また、後述するように、暗い部屋でリモコン装置からの光で電源オンする際にもこのタイムアウト機能が有効に働く。
【００４３】
なお、ステップＳ７からステップＳ４ではなくステップＳ２へ手順を移行させているが、これはリモコン装置によらずにテレビジョン装置本体での操作によって、通常動作モードに移る場合が想定されるためである。
【００４４】
図４は、本発明の一実施形態に係るリモコンシステムにおけるリモコン操作機器をテレビジョン装置に適用した場合の動作を示すタイミングチャートであり、光センサの照度とリモコン信号受信回路の電源スイッチのオン・オフの状態を示している。また、図４で示す動作は光検出信号の判定を１つの閾値で行う場合であり、閾値を照度として示しているが、これらの閾値は光検出回路の出力値の閾値に対応している。
【００４５】
図４で示す状況は、天気が良く昼間の室内が外光により明るくなっている場合であり、時刻ｔ１及びｔ３で室内の照明を点灯し、時刻ｔ２及びｔ４で消灯した場合を示している。図４では、朝、まだ暗いうち時刻ｔ１に室内の照明を点灯することにより、リモコン信号受信回路は有効になり、室内照明を消灯したｔ２の時点では、外光により室内が閾値より明るいため、リモコン信号受信回路５は外光が少なくなるｔ５の時点まで有効な状態を維持している。また、さらに暗くなって、室内照明が点灯される時刻ｔ３からｔ４の間有効になっていることを示している。
【００４６】
本発明では、このようにリモコン操作が可能な場合は、少なくとも光検出信号が所定の閾値より大きいことを前提にしているが、部屋が暗い場合でもリモコン装置でテレビジョン装置を視聴したいという要求がある。例えば、図４において、深夜あるいは朝の起床時に寝室にあるテレビをつけたい場合でも、部屋が暗くてはリモコン操作が効かない。この場合、部屋の照明を点灯することでリモコン操作が可能となるが、本発明では、後述するようにリモコン装置に操作に応じて光を発光する発光部を設けているため、部屋の照明を点灯することなくリモコン操作を可能にしている。
【００４７】
図５は、本発明の一実施形態に係るリモコンシステムにおけるリモコン装置のブロック図である。
図５に示すリモコン装置は、リモコン信号受信回路が赤外線（ＩＲ）方式のものであり、電源回路１１、リモコン制御マイコン１２、キーマトリックス１３、リモコン信号送信回路１４、通信用赤外ＬＥＤ１５、ＬＥＤ制御回路１６、発光用ＬＥＤ１７を備えている。
【００４８】
ここで、リモコン制御マイコン１２は、視聴者がテレビジョン装置の操作を行うために、操作部であるキーマトリクス１３の操作内容に応じて制御コードであるリモコン信号を生成し、生成したリモコン信号をリモコン信号送信回路１４に出力している。リモコン信号送信回路１４はリモコン制御マイコン１２からのリモコン信号にしたがって通信用赤外ＬＥＤ１５を駆動し、通信用赤外ＬＥＤ１５からリモコン信号を赤外光出力として出力している。
【００４９】
また、リモコン装置は、ＬＥＤ制御回路１６、発光部として発光用ＬＥＤ１７、この発光部の操作部としてキーマトリックス１３の所定のキーである光発光ボタン１３ａを備えており、光発光ボタン１３ａが押されると、リモコン制御マイコン１２からＬＥＤ制御回路１６へ発光用ＬＥＤ１７を駆動するための信号が出力されるようになっている。
【００５０】
そして、部屋が暗くテレビジョン装置のリモコン信号受信回路５が無効になっている際にテレビジョン装置を視聴したい場合は、まず、キーマトリックス１３の光発光ボタン１３ａを押した状態で、リモコン装置をテレビジョン装置側に向け、テレビジョン装置のリモコン信号受信回路５を有効な状態にし、その後、リモコン装置のテレビジョン装置用の電源ボタンを操作することにより、テレビジョン装置を通常動作モードに移行する。
【００５１】
この場合、テレビジョン装置の光センサが閾値より高い照度の光を受光して、リモコン信号受信回路５を有効な状態になった後は、先述したように光が切れても規定時間（数十秒から数分程度）の間はリモコン受信回路５が有効な状態を維持するようにタイムアウト機能を設けておくことが望ましい。また、発光用ＬＥＤ１７の発光強度は、通常の使用距離で、テレビジョン装置の光センサの照度の閾値より大きな照度が得られるものとしておくことが必要である。
【００５２】
図６は、本発明の他の実施形態に係るリモコンシステムにおけるリモコン装置のブロック図である。
図６で示したリモコン装置は、発光部の操作部として、図５で示したリモコン装置におけるキーマトリックス１３の光発光ボタン１３ａの代わりに、光発光スイッチ１８を別途設けている。リモコン装置の他の構成と機能は図５にしたものと同じであるので、説明を省略する。
【００５３】
図７は、本発明のさらに他の実施形態に係るリモコンシステムにおけるリモコン装置のブロック図である。
図７に示すリモコン装置は、発光部の操作部として、図５で示したリモコン装置のキーマトリックス１３の代わりにタッチパネル１３’を用い、このタッチパネル１３’上に光発光ボタン１３ａ’を表示するようにしている。リモコン制御マイコン１２はタッチパネルコントロール機能を搭載している他、リモコン装置の他の構成と機能は図５にしたものと同じであるので、説明を省略する。
【００５４】
図８は、本発明のさらに他の実施形態に係るリモコンシステムにおけるリモコン装置のブロック図である。
図８に示すリモコン装置では、図５で示したリモコン装置と同様にキーマトリックス１３を用いているが、テレビジョン装置用の電源ボタン１３ｂを発光部の操作部である光発光ボタンに兼用している。このため、電源ボタン１３ｂを押し続けている間は、発光部である発光用ＬＥＤ１７から光が照射されるとともに、リモコン装置の光出力として通信用赤外ＬＥＤ１５から電源オンコマンドがリモコン信号として出力されることになる。なお、リモコン装置の他の構成と機能は図５にしたものと同じである。
【００５５】
図９は、図８に示すリモコン装置を用いた際のリモコンシステムの動作を示すタイミングチャートである。
図９において、時刻ｔ１１でリモコン装置の電源ボタン１３ｂを押すと（図９（ａ））、図９（ｂ）で示すように、発光用ＬＥＤ１７から光出力がオンになるとともに、通信用赤外ＬＥＤ１５から電源オンコマンドが送出される（図９（ｃ））。
光出力がオンの状態で、リモコン装置をテレビジョン装置側に向けることにより、図９（ｄ）に示すように時刻ｔ１２でテレビジョン装置の光センサの受光照度が閾値を超えると、テレビジョン装置の電源ＳＷ９がオンし、リモコン信号受信回路５にスタンバイ電源１ａから電力が供給され、リモコン信号受信回路５が起動する（図９（ｅ））。
【００５６】
次に、リモコン信号受信回路５が時刻ｔ１３で有効な状態になると、テレビジョン装置はリモコン装置からのリモコンコマンドの受け付けが可能となるとともに、パワーＬＥＤ６が赤色に点灯する（図９（ｇ））。
一方、リモコン装置の通信用赤外ＬＥＤ１５からは電源オンコマンドが送出され続けているため、リモコン信号受信回路５はリモコン装置からの電源オンコマンドを受け付け、テレビ制御マイコン２にリモコン信号として伝える。テレビ制御マイコン２は所定の処理手順でシステム電源１ｂを時刻ｔ１４にオン状態にして、映像音声受信出力回路３へ電力を供給し通常動作モードに移行する（図９（ｆ））。
【００５７】
また、図９（ｇ）に示すように、通常動作モードへの移行と同時にパワーＬＥＤ６が緑色に点灯する。視聴者は、パワーＬＥＤ６が緑色に変わったこと、あるいはテレビジョン装置が通常動作モードで映像音声を出力し始めたことを確認することにより、時刻ｔ１5にリモコン装置の電源ボタン１３ｂを押す操作を停止することができる。
【００５８】
図１０は、本発明のさらに他の実施形態に係るリモコンシステムにおけるリモコン装置のブロック図である。
図１０に示すリモコン装置は、リモコン信号受信回路がＲＦ無線方式のものであり、テレビジョン装置との間で双方向通信が可能となっているため、図８に示すリモコン装置と比べ、リモコン信号送受信回路がリモコン信号送受信回路１９となっており、さらに、ＲＦアンテナ２０を備えている。その他の、電源回路１１、リモコン制御マイコン１２、キーマトリックス１３、ＬＥＤ制御回路１６、発光用ＬＥＤ１７を備えている点は、図８に示すリモコン装置と同じである。
【００５９】
さらに、図８で示したリモコン装置と同様にキーマトリックス１３の電源ボタン１３ｂを光発光ボタンに兼用しているが、テレビジョン装置との間で双方向通信が可能なため、図８に示すリモコン装置を用いる場合とその動作が異なっている。なお、図１０に示すリモコン装置を用いる場合は、テレビジョン装置も図２で示すＲＦ無線方式のものが用いられる。
【００６０】
図１１は、図１０に示すリモコン装置を用い、双方向通信機能を利用する際のリモコンシステムの動作を示す図である。
図１１において、時刻ｔ２１でリモコン装置の電源ボタン１３ｂを押すと（図１１（ａ））、光発光ボタンを兼用していることから発光用ＬＥＤ１７から光出力がオンになる（図１１（ｂ））。なお、図１１のリモコン装置では、後述する理由から、テレビジョン装置が通常動作モードになるまで電源ボタン１３ｂを押し続ける必要はない。
【００６１】
そして、リモコン装置をテレビジョン装置側に向けることにより、図１１（ｄ）に示すように時刻ｔ２２でテレビジョン装置の光センサの受光照度が閾値を超えると、テレビジョン装置の電源ＳＷ９がオンし、リモコン信号送受信回路５’にスタンバイ電源１ａから電力が供給され、リモコン信号送受信回路５’が起動する（図１１（ｅ））。
【００６２】
次に、テレビジョン装置側のリモコン信号送受信回路５’が時刻ｔ２３で有効な状態になると、テレビジョン装置はリモコン装置からのリモコンコマンドの受け付けが可能となるとともに、パワーＬＥＤ６が赤色に点灯する（図１１（ｈ））。さらに、リモコン信号送受信回路５’からは、ＲＦアンテナ２０を介してリモコン信号受信回路５’が有効な待機モードになったことを示すＡＣＫ信号１が送出される。
【００６３】
リモコン装置側のリモコン信号送受信回路１９は、テレビジョン装置からのＡＣＫ信号１を受信すると、テレビジョン装置側のリモコン信号受信回路５’が有効な状態になったことをリモコン制御マイコン１２に伝え、リモコン制御マイコン１２はＬＥＤ制御回路１６を制御して発光用ＬＥＤ１７からの光出力をオフする。さらに、リモコン制御マイコン１２はリモコン信号送受信回路１９を介して、ＲＦアンテナ２０から電源オンコマンドを送出する（図１１（ｃ））。
【００６４】
次に、テレビジョン装置のリモコン信号送受信回路５’はリモコン装置からの電源オンコマンドを受信すると、テレビ制御マイコン２にリモコン信号として伝える。これにより、
テレビ制御マイコン２は所定の処理手順でシステム電源１ｂを時刻ｔ２４にオン状態にして、映像音声受信出力回路３へ電力を供給し通常動作モードに移行する（図１１（ｇ））。
さらに、テレビ制御マイコン２は通常動作モードへの移行と同時にパワーＬＥＤ６を赤色から緑色に点灯するとともに（図１１（ｈ））、通常動作モードへ移行したことを示すＡＣＫ信号２をリモコン信号送受信回路５’を介してＲＦアンテナ２０から送出する。
【００６５】
リモコン装置は、リモコン信号送受信回路５’がテレビジョン装置からのＡＣＫ信号２を受信すると、リモコン制御マイコン１２に伝え、リモコン制御マイコン１２は、ＲＦアンテナ２０からの電源オンコマンドを送出を中止して（図１１（ｃ））、一連の処理を終了する。
【００６６】
このように、図２に示すテレビジョン装置と図１０に示すリモコン装置とからなるリモコンシステムでは、双方向通信機能を用いることにより、テレビジョン装置の周囲が暗い状態において、リモコン装置の光発光ボタン兼用の電源ボタン１３ｂを押し続けなくても、テレビジョン装置を通常動作モードへ移行することができる。また、電源オンコマンドを送出し続ける必要がないため、リモコン装置側の消費電力の削減を図ることができる。
【００６７】
なお、図１１に示したリモコンシステムの動作では、周囲が暗い状態においてリモコン装置以外からの光によっても、光センサの受光照度が閾値を超えることがあるため、リモコン装置は電源ボタン１３ｂが押された所定時内にＡＣＫ信号１を受信した場合に、電源オンコマンドを送出するようにしておけばよい。
【００６８】
また、電源ボタン１３ｂと光発光ボタンを兼用しているため、部屋が明るい状態でリモコン信号送受信回路５’が有効な時に電源ボタン１３ｂが押されたときに対応するため、図１１には図示していないが、電源ボタン１３ｂが押された直後に、電源オンコマンドを所定時間の間送信するようにしておくことが望ましい。
【００６９】
さらに、図示しないが、図１１に示したリモコンシステムの動作において、リモコン装置の電源ボタン１３ｂを一度押すと、リモコン信号送受信回路１９を介して、ＲＦアンテナ２０から電源オンコマンドを送出し続けるようにしてもよい。この場合は、テレビジョン装置がＡＣＫ信号１を送出する必要がなく、テレビジョン装置が通用動作モードとなったことを示すＡＣＫ信号２のみをリモコン装置側に送出し、リモコン装置はこのＡＣＫ信号２を受信した際に、発光用ＬＥＤ１７からの光出力をオフするとともに電源オンコマンドの送出を停止するようにしてもよい。
【００７０】
なお、電源ボタン１３ｂを押した後、自動的に発光用ＬＥＤ１７からの光出力をオフさせる場合は、リモコン装置からの光がいつまでもテレビジョン装置に届かない場合に、リモコン装置は光を出し続けるため、所定の時間内に光出力をオフするようにしておくことが望ましい。
【００７１】
以上、本発明のリモコンシステムのリモコン操作機器としてテレビジョン装置を例に説明したが、本発明のリモコン操作機器はテレビジョン装置に限られるものではなく、オーディオ・ビデオ製品や、給湯器、エアコンなど種々のリモコン操作が可能な機器を含むものである。また、リモコン装置の発光部としてＬＥＤを用いた例を示したが、リモコンに搭載可能な発光デバイスであればＬＥＤに限らない。
【符号の説明】
【００７２】
１…電源回路、２…テレビ制御マイコン、３…映像音声受信出力部、４…主電源ＳＷ、５…リモコン信号受信回路、５’…リモコン信号送受信回路、６…パワーＬＥＤ、７…ＬＥＤ制御回路、８…光検出回路、９…電源ＳＷ、１１…電源回路、１２…リモコン制御マイコン、１３…キーマトリックス、１４…リモコン信号送信回路、１５…通信用赤外ＬＥＤ、１６…ＬＥＤ制御回路、１７…発光用ＬＥＤ、１８…光発光スイッチ、１９…リモコン信号送受信回路、２０…ＲＦアンテナ２０、５１…赤外線受光素子、５２…ＲＦアンテナ５２。
【図１】
2011124763.tif 000003
【図２】
2011124763.tif 000004
【図３】
2011124763.tif 000005
【図４】
2011124763.tif 000006
【図５】
2011124763.tif 000007
【図６】
2011124763.tif 000008
【図７】
2011124763.tif 000009
【図８】
2011124763.tif 000010
【図９】
2011124763.tif 000011
【図１０】
2011124763.tif 000012
【図１１】
2011124763.tif 000013